(57)【要約】【課題】小型化および薄型化を図ることができるとともにディスクを安定して駆動可能なディスク装置を提供する。【解決手段】ディスク装置の筐体内には、ディスク状の記録媒体１４、記録媒体を支持しているとともに回転させる駆動モータと、記録媒体に対して情報の記録再生を行うヘッド１６、ヘッドを移動自在に支持したヘッドアクチュエータ１８、が設けられている。駆動モータは、流体軸受けにより回転自在に支持されたロータと、ロータの外周に円周方向に沿って設けられ、ロータの磁極に対向した複数の磁極を有したステータ５０と、を有している。ステータは、ヘッドの移動経路上に位置しているとともに円周方向の全角度３６０度に対して２５％以下に相当する範囲で磁極が除去された除去部６３と、除去部を除いて円周方向にほぼ等間隔に配置された複数のステータ磁極６０と、除去部において、ロータに隣接対向して設けられた磁気吸引板６６と、を具備している。【選択図】  図３
2008010033.tif 000002
【特許請求の範囲】
【請求項１】
ベースを有した筐体と、
前記筐体内に設けられたディスク状の記録媒体と、
前記ベース上に設けられ、前記記録媒体を支持しているとともに回転させる駆動モータと、
上記記録媒体に対して情報の記録再生を行うヘッドと、
前記筐体内に設けられ、前記ヘッドを移動自在に支持しているとともに前記ヘッドを前記記録媒体に対して移動させるヘッドアクチュエータと、を備え、
前記駆動モータは、
円周方向に沿って並んで設けられた複数の磁極を有するロータと、
ロータを回転自在に支持した流体軸受けと、
前記ロータの外周に円周方向に沿って設けられ、前記ロータの磁極に対向した複数の磁極を有するステータと、を含み、
前記ステータは、前記ヘッドの移動経路上に位置しているとともに円周方向の全角度３６０度に対して２５％以下に相当する範囲で磁極が除去された除去部と、
前記除去部を除いて円周方向にほぼ等間隔に配置された複数のステータ磁極と、
前記除去部において、前記ロータに隣接対向して設けられた磁気吸引板と、を具備しているディスク装置。
【請求項２】
前記磁気吸引板は、前記ベースの一部を切り起こして形成されている請求項１に記載のディスク装置。
【請求項３】
前記ステータは、複数の金属板を積層して構成されたコアと、コアに巻装された複数のコイルと、を備え、
前記コアは、環状に形成されたているとともに、前記磁気吸引板を構成した延出部を有するベース金属板と、それぞれ前記除去部に対応する部分が除去された円弧状に形成され前記ベース金属板上に積層された複数の積層金属板と、を備えている請求項１に記載のディスク装置。
【請求項４】
前記駆動モータは、前記磁気吸引板の外周側に設けられた磁気シールド板を備えている請求項１ないし３のいずれか１項に記載のディスク装置。
【請求項５】
前記ヘッドアクチュエータは、前記ベース上に支持された軸受け部と、前記軸受け部により回動自在に支持されているとともに前記軸受け部から延出し前記磁気ヘッドを支持したサスペンションとを備えている請求項１に記載のディスク装置。
【請求項６】
前記駆動モータは、前記流体軸受けに支持されたスピンドル軸と、前記スピンドル軸に固定され前記ロータを構成したハブと、前記スピンドル軸と同軸的に前記ハブに固定され前記複数の磁極を構成した環状の磁石と、を備え、前記記録媒体は、前記ハブに固定され前記スピンドル軸と同軸的に保持されている請求項１に記載のディスク装置。
【発明の詳細な説明】
【技術分野】
【０００１】
この発明は、記録媒体としてのディスクを有したディスク装置に関する。
【背景技術】
【０００２】
近年、コンピュータの外部記録装置や画像、音楽の記録再生装置として磁気ディスク装置、光ディスク装置などのディスク装置が広く用いられている。  
例えば、磁気ディスク装置は、一般に、筐体内に配設された磁気ディスク、磁気ディスクを支持および回転駆動するスピンドルモータ、磁気ヘッドを支持したヘッドアクチュエータ、ヘッドアクチュエータを駆動するボイスコイルモータ、回路基板ユニット等を備えている。ヘッドアクチュエータは、ケースに取り付けられた軸受け部と、軸受け部に積層され軸受け部から延出した複数のアームと、を備え、各アームには、サスペンションを介して磁気ヘッドが取り付けられている。
【０００３】
筐体は、上述した複数の機構部が実装されているとともに上面が開口したベースと、ベースの開口を覆ったトップカバーとで構成されている。通常、トップカバーは複数のねじによりベースの上面周縁部にねじ止めされている。
【０００４】
一般に、スピンドルモータは、軸受けによって回転自在に支持されたロータ、およびベース上に設けられロータの周囲に対向して位置した環状のステータを有している。例えば、ロータは複数の磁極を有する永久磁石を有し、ステータは、鉄心にコイルが巻装された複数の磁極を有し、これらの磁極はロータの周囲に円周方向に沿って等間隔で全周に亘って配置されている。
【０００５】
近年、磁気ディスク装置の小型化が進められ、磁気ディスク自体およびその機構部も小型化が図られている。しかし、精度や性能の都合上、スピンドルモータはある程度以下には小さくすることが出来ない。そのため、小型の磁気ディスク装置においては、ステータの外周縁は磁気ディスクの内周形状寸法に比して、相当大きくなってしまうのが一般的である。また、ディスク装置全体の薄型化を図る場合、磁気ディスクとステータとの隙間を小さくする必要がある。
【０００６】
このような場合、磁気ディスクとモータとの間に磁気ヘッドが入れるスペースがないと、磁気ヘッドは磁気ディスクの内周部まで移動することができない。そのため、磁気ヘッドの移動範囲が小さくなり、磁気ディスクの内、記録再生用に使用できる面積が著しく減少する。その結果、磁気ディスクの持つ記録容量を効率的に利用することが困難となる。逆に、磁気ヘッドの移動を許容するために、磁気ディスクとステータとの高さ方向の隙間を大きくした場合、磁気ディスク装置を薄型化する上で支障となる。
【０００７】
そこで、小型の磁気ディスク装置において、ステータの内、磁気ヘッドの移動範囲に相当する部分を取り除くことにより、磁気ヘッドの移動範囲を大きく確保したものが提案されている（例えば、特許文献１）。この装置によれば、磁気ディスクとステータとの高さ方向の隙間を大きくすることなく、磁気ヘッドを磁気ディスクの内周部まで移動させることが可能となる。これにより、装置の薄型化および記録容量の向上を図ることができる。
【特許文献１】特開２００３−６１３０４号公報
【発明の開示】
【発明が解決しようとする課題】
【０００８】
しかしながら、近年、小形の磁気ディスク装置では、スピンドルモータの低騒音化などの目的で、ロータを支持する軸受けとして、流体軸受けを用いることが一般的になってきた。流体軸受けの場合、玉軸受けのような軸を機械的に支持する固体ボールを備えておらず、軸の周囲に充填された流体によって支持する構造となっている。そのため、前記のようにステータの一部を除去し、円周方向に沿って磁極が均等に配置されていない構成とした場合、ロータとステータとの吸引力に偏りが発生し、ロータの軸が中心から外れて回転する現象や、ロータの軸が倒れて回転する現象などが生じる。この場合、磁気ディスクに対する磁気ヘッドの記録精度および読み出し精度が低下する。
【０００９】
この発明は以上の点に鑑みなされたもので、その目的は、小型化および薄型化を図ることができるとともにディスクを安定して駆動可能なディスク装置を提供することにある。
【課題を解決するための手段】
【００１０】
上記目的を達成するため、この発明の態様に係るディスク装置は、ベースを有した筐体と、前記筐体内に設けられたディスク状の記録媒体と、前記ベース上に設けられ、前記記録媒体を支持しているとともに回転させる駆動モータと、上記記録媒体に対して情報の記録再生を行うヘッドと、前記筐体内に設けられ、前記ヘッドを移動自在に支持しているとともに前記ヘッドを前記記録媒体に対して移動させるヘッドアクチュエータと、を備えている。  
前記駆動モータは、円周方向に沿って設けられた複数の磁極を有するロータと、ロータを回転自在に支持した流体軸受けと、前記ロータの外周に円周方向に沿って設けられ、前記ロータの磁極に対向した複数の磁極を有するステータと、を含み、  
前記ステータは、前記ヘッドの移動経路上に位置しているとともに円周方向の全角度３６０度に対して２５％以下に相当する範囲で磁極が除去された除去部と、前記除去部を除いて円周方向にほぼ等間隔に配置された複数のステータ磁極と、前記除去部において、前記ロータに隣接対向して設けられた磁気吸引板と、を具備している。
【発明の効果】
【００１１】
上記構成によれば、小型化および薄型化を図ることができるとともにディスクを安定して駆動可能なディスク装置を提供することができる。
【発明を実施するための最良の形態】
【００１２】
以下図面を参照しながら、この発明のディスク装置をハードディスクドライブ（以下ＨＤＤと称する）に適用した第１の実施形態について詳細に説明する。  
図１および図２に示すように、ＨＤＤは筐体１０を備えている。この筐体１０は、上面の開口した矩形箱状のベース１１と、矩形板状のトップカバー１２とを備え、トップカバーは、複数のねじによりベースにねじ止めされ、ベースの上端開口を閉塞している。これにより、筐体１０内部は気密に保持され、図示しない呼吸フィルターを通してのみ、外部と通気可能となっている。ベース１１およびトップカバー１２は例えば鉄によって形成されている。
【００１３】
ベース１１上には、記録媒体としての磁気ディスク１４、磁気ディスクを支持および回転させるスピンドルモータ１５、磁気ディスクに対して情報の記録、再生を行なう複数、例えば、２つの磁気ヘッド１６、これらの磁気ヘッド１６を磁気ディスク１４の表面に対して移動自在に支持したヘッドアクチュエータ１８、ヘッドアクチュエータを回動および位置決めするボイスコイルモータ（以下ＶＣＭと称する）２２が配設されている。また、ベース１１上には、磁気ヘッド１６が磁気ディスクの最外周に移動した際、磁気ヘッドを磁気ディスクから離間した位置に保持するランプロード機構２４、ＨＤＤに衝撃等が作用した際、ヘッドクチュエータを退避位置に保持する図示しないイナーシャラッチ機構、およびプリアンプ等の電子部品が実装されたフレキシブルプリント回路基板ユニット（以下、ＦＰＣユニットと称する）２６が設けられている。
【００１４】
ベース１１の外面には、ＦＰＣユニット２６を介してスピンドルモータ１５、ＶＣＭ２２、および磁気ヘッドの動作を制御する図示しないプリント回路基板がねじ止めされ、ベース１１の底壁と対向して位置している。
【００１５】
磁気ディスク１４は、例えば、直径約２２ｍｍ（０．８５インチ）に形成され、上面および下面に磁気記録層を有している。磁気ディスク１４は、後述するスピンドルモータ１５のハブに互いに同軸的に嵌合されているとともにクランプばね２５によりクランプされ、ハブに固定されている。磁気ディスク１４は、駆動モータとしてのスピンドルモータ１５により所定の速度、例えば、３６００ｒｐｍの速度で回転駆動される。
【００１６】
ヘッドアクチュエータ１８は、ベース１１の底壁上に固定された軸受け組立体２８を備えている。軸受け部として機能する軸受け組立体２８は、ベース１１の底壁に立設された枢軸２３と、枢軸に一対の軸受けを介して回転自在に支持された円筒形状のハブ３０と、を有している。ヘッドアクチュエータ１８は、ハブ３０に取り付けられた２本のアーム３２、それぞれのアームから延出した２本のサスペンション３４、サスペンションの延出端に支持された磁気ヘッド１６、および複数のスペーサリングを備えている。
【００１７】
各磁気ヘッド１６は、図示しないほぼ矩形状のスライダとこのスライダに形成された記録再生用のＭＲ（磁気抵抗）ヘッド素子とを有し、サスペンション３４の先端部に形成されたジンバル部に固定されている。各磁気ヘッド１６は、それぞれ図示しない中継フレキシブルプリント回路基板（以下、中継ＦＰＣと称する）を介して後述するメインＦＰＦ３６に電気的に接続されている。中継ＦＰＣは、ヘッドアクチュエータ１８の各アーム３２およびサスペンション３４の表面に貼り付けられ、サスペンションの先端からアームの回動基端に亘って延びている。中継ＦＰＣは、全体として細長い帯状に形成され、その先端は磁気ヘッド３３に電気的に接続されているとともに、その基端部はメインＦＰＣ３６に電気的に接続されている。これにより、各磁気ヘッド１６は、中継ＦＰＣおよびメインＦＰＦ３６を介してＦＰＣユニット２６に電気的に接続されている。
【００１８】
ハブ３０の外周に嵌合された２本のアーム３２は所定の間隔を置いて互いに平行に位置し、これらのアームに取り付けられたサスペンション３４および磁気ヘッド１６は、磁気ディスク１４を間に挟んで互いに向かい合って位置している。ＶＣＭ２２は、ハブ３０からアーム３２と反対方向に延出した支持フレーム３８、および支持フレームに支持されたボイスコイル４０を有している。ヘッドアクチュエータ１８をベース１１に組み込んだ状態において、ボイスコイル４０は、ベース１１上に固定された一対のヨーク４２間に位置し、これらのヨークおよび一方のヨークに固定された磁石４４とともにＶＣＭ２２を構成している。
【００１９】
磁気ディスク１４を回転した状態でボイスコイルに通電することにより、ヘッドアクチュエータ１８が回動し、磁気ヘッド１６は磁気ディスク１４の所望のトラック１７上に移動および位置決めされる。この際、磁気ヘッド１６は、図１に矢印Ａで示すように、磁気ディスク１４の径方向に沿って、磁気ディスクの内周縁部と外周縁部との間を移動される。一方の磁気ヘッド１６は、磁気ディスク１４の一方の表面とトップカバー１２との間を移動され、他方の磁気ヘッド１６は、磁気ディスクの他方の表面とベース１１の内面との間を移動される。
【００２０】
次に、スピンドルモータ１５について説明する。  
図３は、スピンドルモータ１５のステータ５０およびヘッドアクチュエータ１８を示して、図４は、スピンドルモータの断面を示している。
【００２１】
図３および図４に示すように、スピンドルモータ１５は、回転体としてのロータおよび固定体としてのステータ５０を備えている。前述したように、スピンドルモータ１５は、ロータとして機能するハブ５２およびハブに固定されたスピンドル軸５４を備えている。ハブ５２は上端が閉塞された円筒形状に形成されている。スピンドル軸５４は、ハブの上端部に固定されハブと同軸的に延びている。スピンドル軸５４は、流体軸受け５５よりベース１１に対して回転自在に支持されている。
【００２２】
流体軸受け５５は、ベース１１に固定された円筒状の軸受スリーブ５７を有している。スピンドル軸５４の下端部は、その外面側に僅かな隙間をおいて軸受スリーブ５７内に挿通されている。軸受スリーブ５７の内面とスピンドル軸５４の外面との隙間には、流体、例えば潤滑油が充填されている。また、スピンドル軸５４の外面には、スピンドル軸が回転することによりラジアル方向の動圧を発生させる動圧発生溝、例えば、へリングボーン形状の溝６１、およびスラスト方向の動圧を発生される図示しない他の動圧発生溝が形成されている。
【００２３】
ハブ５２の下端部外周面には環状の磁石６２が固定され、スピンドル軸５４と同軸的に位置している。磁石６２は、円周方向に沿って交互に、かつ、等間隔を置いて形成された複数のＮ極およびＳ極を有している。ハブ５２の外周面中間部には環状のフランジ６５が一体に形成されている。更に、ハブ５２の周囲には磁気ディスク１４が同軸的に嵌合され、フランジ６５上に当接している。
【００２４】
一方、ステータ５０は、後述するように除去部６３を除いてほぼ環状に形成されている。ステータ５０は、ベース１１上にスピンドル軸５４と同軸的に固定され、ハブ５２の外側に対向して位置している。ステータ５０は、複数枚の金属板を積層して形成されたコア５６と、コアに巻装された複数のコイル５８とを有し、これらコアおよびコイルにより複数の磁極６０を形成している。これらの磁極６０は、円周方向に沿って等間隔で設けられ、磁石６２の磁極と対向して位置している。
【００２５】
ステータ５０は、磁気ヘッド１６の移動経路上に位置しているとともに円周方向の全角度３６０度に対して２５％以下、つまり、９０度以下に相当する範囲で磁極が除去された除去部６３を有している。ステータ５０の磁極６０は、除去部６３を除いて円周方向にほぼ等間隔に配置されている。本実施形態において、除去部６３は、ステータ５０の全周３６０度に対して６５度の範囲に形成されている。
【００２６】
図５は、コア５６を構成する金属板６４を示している。この金属板６４は、円弧状のフレーム部６４ａ、フレーム部からその中心に向かって延出した複数のコイル支持部６４ｂ、および各コイル支持部の延出端に形成された円弧状の係止部６４ｃを一体に備えている。フレーム部６４ａは、除去部６３に相当する円周部分が除去され、一部が開放した円弧状に形成されている。金属板６４は、磁性材料、例えば、鉄によって形成されている。
【００２７】
コア５６は、金属板６４を複数枚、例えば、４枚積層して構成されている。そして、各コイル支持部６４ｂの積層部分に、コイル５８が巻装されている。ステータ５０をベース１１上に実装した状態において、コア５６の各係止部６４ｃは、磁石６２の外周面と隣接対向している。
【００２８】
図３および図４に示すように、スピンドルモータ１５は、ステータ５０の除去部６３において、ハブ５２および磁石６２の外周面に隣接対向して設けられた磁気吸引板６６を有している。この磁気吸引板６６は、ベース１１の一部を筐体１０内部に向かって切り起こすことによって形成されている。磁気吸引板６６は、円弧状に形成され、ステータ５０を構成するコア５６の各係止部６４ｃと同芯円上に並んでいる。後述するように、磁気吸引板６６は、ステータ５０の除去部６３において、磁石６２とステータ５０との吸引力を他の部分と同様に発生させ、吸引力の偏りを低減してロータの安定した回転を維持する。
【００２９】
スピンドルモータ１５は、磁石６２と対向する部分を除いて、ステータ５０の外面を覆った磁気シールド板６８を備えている。磁気シールド板６８は例えば、パーマロイによって形成されている。磁気シールド板６８は、磁気吸引板６６の外周面、および、除去部６３の両端部も覆っている。
【００３０】
以上のように構成されたＨＤＤによれば、スピンドルモータ１５のステータ５０の内、下側の磁気ヘッド１６、すなわち、磁気ディスク１４とベース１１との間に設けられた磁気ヘッド１６の移動路上に位置した部分は、除去され、除去部６３を構成している。そのため、ＨＤＤ全体を薄型化した場合でも、ステータ５０によって磁気ヘッド１６の移動を妨げることがなく、磁気ヘッドの移動範囲を充分に確保することができる。これにより、磁気ディスク１４の内周縁部まで情報の記録再生用に使用することができ、磁気ディスクの持つ記録容量を効率的に利用することが可能となる。
【００３１】
この際、ステータ５０の除去部６３には磁気吸引板６６が設けられ磁石６２に隣接対向している。そのため、磁石６２とステータ５０との吸引力を他の部分と同様に発生させ、ステータ５０の円周方向に沿った吸引力の偏りを低減することができる。これにより、ステータ５０に除去部６３を設けた場合でも、ロータの安定した回転を維持することが可能となる。また、磁気吸引板６６は、ベース１１の一部を利用することにより容易に形成することができる。  
以上のことから、小型化および薄型化を図ることができるとともにディスクを安定して駆動可能なディスク装置が得られる。
【００３２】
上述した第１の実施形態において、磁気吸引板６６はベース１１の一部によって形成する構成としたが、これに限定されることはない。図６ないし図９に示すように、この発明の第２の実施形態に係るＨＤＤによれば、磁気吸引板６６は、コアの一部を折り曲げて構成されている。
【００３３】
詳細に述べると、ステータ５０のコア５６は、複数枚、例えば、４枚の金属板を積層して構成されている。コア５６は、図８に示すベース金属板７０に、図９に示す積層金属板６４を３枚重ねて形成されている。
【００３４】
ベース金属板７０は、環状のフレーム部７０ａ、フレーム部からその中心に向かって延出した複数のコイル支持部７０ｂ、および各コイル支持部の延出端に形成された円弧状の係止部７０ｃを一体に備えている。複数、例えば９つのコイル支持部７０ｂが、フレーム部７０ａの円周方向に沿って等間隔離間して設けられている。複数の係止部７０ｃの内、隣接した２つの係止部７０ｃは、フレーム部７０ａの中心に向かって他の係止部よりも大きく延出し、延出部７０ｄを形成している。後述するように、各延出部７０ｄは、コイル支持部７０ｂに対して直角に折曲げられ、磁気吸引板６６を構成している。
【００３５】
図９に示すように、各積層金属板６４は、円弧状のフレーム部６４ａ、フレーム部からその中心に向かって延出した複数のコイル支持部６４ｂ、および各コイル支持部の延出端に形成された円弧状の係止部６４ｃを一体に備えている。フレーム部６４ａは、除去部６３に相当する円周部分が除去され、一部が開放した円弧状に形成されている。本実施形態において、積層金属板６４は、ベース金属板７０に比較して、２つ分のコイル支持部６４ｂが除去された形状を有している。ベース金属板７０および積層金属板６４は、磁性材料、例えば、鉄によって形成されている。
【００３６】
図６および図７に示すように、コア５６は、コイル支持部７０ｂ、６４ｂが整列して重なった状態で、ベース金属板７０上に３枚の積層金属板６４を順に積層して構成されている。コア５６の内、積層金属板６４の除去された部分は、ベース金属板７０のコイル支持部７０ｂおよび延出部７０ｄのみが位置し、除去部６３を規定している。また、２つの延出部７０ｄは、コイル支持部７０ｂに対して直角に、かつ上方に折曲げられ、磁気吸引板６６を形成している。磁気吸引板６６は、円弧状に形成され、ステータ５０を構成するコア５６の係止部６４ｃと同芯円上に並んでいる。
【００３７】
延出部７０ｄが設けられたコイル支持部７０ｂを除いて、ベース金属板７０のコイル支持部７０ｂと積層金属板６４のコイル支持部６４ｂとの積層体には、それぞれコイル５８が巻装されている。これにより、複数の磁極６０を有したステータ５０が構成されている。
【００３８】
図６に示すように、ステータ５０は、ベース１１上にスピンドル軸５４と同軸的に固定され、ハブ５２の外側に対向している。ステータ５０の複数の磁極６０は、円周方向に沿って等間隔で設けられ、磁石６２の磁極と対向している。磁気吸引板６６は、磁石６２に隣接対向している位置している。ステータ５０の除去部６３は、磁気ヘッド１６の移動経路上に位置している。
【００３９】
なお、除去部６３は、ステータ５０の円周方向の全角度３６０度に対して２５％以下、つまり、９０度以下に相当する範囲に形成されている。本実施形態において、除去部６３は、ステータ５０の全周３６０度に対して、例えば、６５度の範囲に形成されている。また、除去部６３において、ベース金属板７０および磁気吸引板６６の外面に重ねて磁気シールド板６８が設けられている。  
第２の実施形態において、ＨＤＤの他の構成は前述した第１の実施形態と同一であり、同一の部分には同一の参照符号を付してその詳細な説明を省略する。
【００４０】
上記のように構成された第２の実施形態に係るＨＤＤにおいても、前述した第１の実施形態と同様の作用効果を得ることができる。また、第２の実施形態によれば、ステータ５０を構成するコアの一部を利用して磁気吸引板を構成していることから、筐体のベースに特別な加工を施す必要がなく、従来と同一構造のベースを用いることができる。これにより、製造コストの低減を図ることが可能となる。
【００４１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００４２】
例えば、この発明のディスク装置は、ディスク径が０．８５インチのものに限らず、例えば、ディスク径が１インチ、あるいは１．８インチなどのディスク装置にも適用可能である。磁気ディスクおよび磁気ヘッドの数は、上述した実施形態に限らず、必要に応じて増加可能である。また、筐体、コア、磁気シールド板等、各構成部材の材質は、上述した実施形態に限らず、種々選択可能である。
【図面の簡単な説明】
【００４３】
【図１】図１は、この発明の第１の実施形態に係るＨＤＤを示す平面図。
【図２】図２は、上記ＨＤＤを示す断面図。
【図３】図３は、前記ＨＤＤのヘッドアクチュエータおよびスピンドルモータのステータを示す平面図。
【図４】図４は、図３の線Ｂ−Ｂに沿った前記スピンドルモータの断面図。
【図５】図５は、前記ステータをコアを構成する金属板を示す平面図。
【図６】図６は、この発明の第２の実施形態に係るＨＤＤを示す断面図。
【図７】図７は、第２の実施形態に係るＨＤＤにおけるスピンドルモータのコアを示す斜視図。
【図８】図８は、前記コアを形成するベース金属板を示す平面図。
【図９】図９は、前記コアを形成する積層金属板を示す平面図。
【符号の説明】
【００４４】
１０…筐体、  １１…ベース、  １４…磁気ディスク、  １５…スピンドルモータ、
１６…磁気ヘッド、  １８…ヘッドアクチュエータ、  ２２…ＶＣＭ、  ２３…枢軸、
５０…ステータ、  ５２…ハブ（ロータ）、  ５４…スピンドル軸、
５５…流体軸受け、５６…コア、  ５８…コイル、  ６０…磁極、  ６２…磁石、
６３…除去部、  ６４…金属板、  ６６…磁気吸引板、  ６８…磁気シールド板、
７０…ベース金属板、  ７０ｄ…延出部
【図１】
2008010033.tif 000003
【図２】
2008010033.tif 000004
【図３】
2008010033.tif 000005
【図４】
2008010033.tif 000006
【図５】
2008010033.tif 000007
【図６】
2008010033.tif 000008
【図７】
2008010033.tif 000009
【図８】
2008010033.tif 000010
【図９】
2008010033.tif 000011